(57)【要約】【課題】携帯電話通信網を介さず、かつ、手間をかけずに、グループのスケジュールデータを、グループに属するメンバーの携帯電話に送信することができるスケジュール管理システムを提供する。【解決手段】携帯電話１と情報管理サーバー２とを備えて構成されるスケジュール管理システムであって、情報管理サーバー２は、スケジュールデータをグループ単位で記憶可能なデータベース５と、非接触ＩＣリーダー／ライター装置８とを備え、携帯電話１は、非接触ＩＣリーダー／ライター装置８によるアクセスが可能であり、当該アクセス時にデータベース５から自己が属するグループのスケジュールデータを受け取る非接触ＩＣ装置１９を備える。【選択図】図１
2008004981.tif 000002
【特許請求の範囲】
【請求項１】
携帯電話と情報管理サーバーとを備えて構成されるスケジュール管理システムであって、
前記情報管理サーバーは、
スケジュールデータをグループ単位で記憶可能なデータベースと、
非接触ＩＣリーダー／ライター装置とを備え、
前記携帯電話は、
前記非接触ＩＣリーダー／ライター装置によるアクセスが可能であり、当該アクセス時に前記データベースから自己が属するグループの前記スケジュールデータを受け取る非接触ＩＣ装置を備える、
スケジュール管理システム。
【請求項２】
ネットワークからの遠隔操作により、前記情報管理サーバーの前記データベースに記憶された前記スケジュールデータを追加、編集、削除する手段をさらに備える、
請求項１に記載のスケジュール管理システム。
【請求項３】
前記携帯電話は、
スケジュール管理用の記憶部と、
前記非接触ＩＣ装置の前記スケジュールデータを前記記憶部に移転する制御を行うスケジュール機能制御部とをさらに備える、
請求項１または請求項２に記載のスケジュール管理システム。
【請求項４】
前記携帯電話は、
前記スケジュールデータを表示する表示部をさらに備え、
前記スケジュール機能制御部は、
前記記憶部に格納された前記スケジュールデータを前記表示部で表示する制御を行う、
請求項３に記載のスケジュール管理システム。
【請求項５】
前記データベースは、
前記非接触ＩＣ装置が有するＩＤと、グループを識別可能なユーザー情報とを予め登録しておくユーザーデータ記憶部を有する、
請求項１乃至請求項４のいずれかに記載のスケジュール管理システム。
【請求項６】
前記情報管理サーバーは、
前記非接触ＩＣリーダー／ライター装置が前記非接触ＩＣ装置にアクセスし、当該非接触ＩＣ装置が有する前記ＩＤと前記データベースに予め登録された前記ＩＤが一致した場合に、対応の前記ユーザー情報により特定されるグループの前記スケジュールデータを前記非接触ＩＣ装置に送信する、
請求項５に記載のスケジュール管理システム。
【発明の詳細な説明】
【技術分野】
【０００１】
本発明は、携帯電話を用いたスケジュール管理システムに関し、特にグループでスケジュールデータを共有し、管理することが可能なスケジュール管理システムに関する。
【背景技術】
【０００２】
従来のスケジューラー機能を有する携帯電話では、ユーザーは携帯電話のユーザーインターフェースを使って個人のスケジュールを予め登録することにより、待ち受け時の携帯電話画面でそのスケジュールを確認したり、そのスケジュールに登録した時間にアラームを鳴動させたりすることができる。しかし、個人のスケジュール以外に、家庭、職場、サークルなどのグループのメンバーが共有するスケジュールデータを、メンバーの一人が一括して作成し、自動的にそのデータを他のメンバーの携帯電話に登録する機能は無かった。このため、グループ内のスケジュールは、口頭による伝達やメールによる通知を基に、メンバー各人が、手作業にて自己の携帯電話に登録する必要があった。その結果、連絡漏れや入力誤りが発生する可能性が高かった。
【０００３】
このような問題を解決するため、特許文献１には、メンバーの一人がグループのスケジュールデータを登録した場合に、自動的に他のメンバーなどの携帯電話にそのデータをメール添付して送信、登録することにより同期をとる情報処理端末およびスケジュール同期方法が記載されている。
【０００４】
【特許文献１】特開２００３−０３７８７１号公報
【発明の開示】
【発明が解決しようとする課題】
【０００５】
しかしながら、特許文献１の発明では、グループのスケジュールデータをメール添付して送信する必要があるため、パケット通信網などの携帯電話通信網の使用により課金がかかるという問題がある。また、この問題を防ぐ方法としてＵＳＢケーブル接続を用いる方法が想定されるが、この場合にはケーブルを接続する手間がかかる。
【０００６】
この発明は、上記のような問題点を解決するためになされたものであり、携帯電話通信網を介さず、かつ、手間をかけずに、グループのスケジュールデータを、グループに属するメンバーの携帯電話で共有することができるスケジュール管理システムを得ることを目的とする。
【課題を解決するための手段】
【０００７】
本発明に係るスケジュール管理システムは、携帯電話と情報管理サーバーとを備えて構成されるスケジュール管理システムであって、前記情報管理サーバーは、スケジュールデータをグループ単位で記憶可能なデータベースと、非接触ＩＣリーダー／ライター装置とを備え、前記携帯電話は、非接触ＩＣリーダー／ライター装置によるアクセスが可能であり、当該アクセス時に前記データベースから自己が属するグループの前記スケジュールデータを受け取る非接触ＩＣ装置を備える。
【発明の効果】
【０００８】
本発明のスケジュール管理システムによれば、携帯電話通信網を介さず、かつ、手間をかけずに、グループのスケジュールデータを、例えば、グループに属するメンバーの携帯電話に送信することができる。
【発明を実施するための最良の形態】
【０００９】
＜実施の形態１＞
図１は本実施の形態に係るスケジュール管理システムの構成であり、スケジューラアプリケーションおよび非接触ＩＣ装置を備える携帯電話１と、スケジュールデータ管理機能および非接触ＩＣリーダー／ライター装置を備える情報管理サーバー２と、情報管理サーバー２内のスケジュールデータに対して遠隔操作を行うＰＣ（パーソナルコンピュータ）３とを備えて構成される。なお、以下、家庭、職場、サークルなどのグループのメンバーに共有されるグループのスケジュールデータを「スケジュールデータ」と記述し、一般的に用いられている個人のスケジュールデータを「個人スケジュールデータ」と記述して、両者を区別する。
【００１０】
図２は情報管理サーバー２の構成であり、ユーザーデータ記憶部４と、グループスケジュールデータ記憶部５と、ユーザデータ記憶部４及びグループスケジュールデータ記憶部５を制御するグループスケジュールデータ制御部６と、携帯電話１の非接触ＩＣ装置にスケジュールデータを送信する非接触ＩＣリーダー／ライター装置８と、非接触ＩＣリーダー／ライター装置８を制御する非接触ＩＣリーダー／ライター制御部７と、ネットワークに接続するためのＬＡＮコネクタ装置９と、ＬＡＮコネクタ装置９を制御するＬＡＮコネクタ制御部１０と、ネットワークに接続するプロトコルを制御するＴＣＰ／ＩＰ制御部１１と、ＷＥＢブラウザを用いて、ＰＣ３とネットワーク接続するためのプロトコルを提供するＨＴＴＰサーバー制御部１２と、上記グループスケジュールデータ制御部６、および、上記非接触ＩＣリーダー／ライター制御部７、および、上記ＨＴＴＰサーバー制御部１２を統括して制御する情報管理サーバー制御部１３とを備える。
【００１１】
また、情報管理サーバー２にはデータベースが備えられており、このデータベースは、上記のグループスケジュールデータ記憶部５とユーザーデータ記憶部４を有する。グループスケジュールデータ記憶部５は、スケジュールデータをグループ単位で記憶可能である。ユーザーデータ記憶部４は、携帯電話１の非接触ＩＣ装置が有するＩＤと、グループを識別可能なユーザ情報を予め登録しておく。このユーザー情報は、例えば、ユーザーの氏名や、ユーザーが属するグループの情報から構成される。
【００１２】
情報管理サーバー２は、非接触ＩＣリーダー／ライター装置８が携帯電話１の非接触ＩＣ装置にアクセスし、その非接触ＩＣ装置が有するＩＤとユーザーデータ記憶部４に予め登録されたＩＤが一致した場合に、対応のユーザー情報により特定されるグループのスケジュールデータを上記非接触ＩＣ装置に送信する。この機能は、情報管理サーバー制御部１３が、グループスケジュールデータ制御部６と、非接触ＩＣリーダー／ライター制御部７を統括して制御することにより行われる。
【００１３】
図３は携帯電話１の構成であり、ユーザーがスケジュールデータを入力・参照するために使用するキー入力装置１４と、スケジュール機能制御部１５と、スケジュール機能制御部１５が入力・参照処理時に参照する個人スケジュールデータ記憶部１６及びグループスケジュールデータ記憶部１７と、非接触ＩＣ装置１９と、非接触ＩＣ装置１９の記憶領域に対し、スケジュールデータおよびユーザー情報の読込みと書込みを行う非接触ＩＣ装置制御部１８と、ＬＣＤディスプレイ２０とを備える。
【００１４】
非接触ＩＣ装置１９は、情報管理サーバー２の非接触ＩＣリーダー／ライター装置８によるアクセスが可能であり、そのアクセス時に情報管理サーバー２のグループスケジュールデータ記憶部５から、自己が属するグループのスケジュールデータを受け取る。この非接触ＩＣ装置１９と非接触ＩＣリーダー／ライター装置８との間のデータの受け取り、つまり、通信は、携帯電話通信網を介することなく行われるが、その仕様などは周知の構成が用いられるので、詳細な説明は省略する。
【００１５】
グループスケジュールデータ記憶部１７はスケジュール管理用の記憶部である。スケジュール機能制御部１５は、例えば、キー入力装置１４で操作された手順に従って、非接触ＩＣ装置制御部１８を起動することにより、非接触ＩＣ装置１９のスケジュールデータをグループスケジュールデータ記憶部１７に移転する制御を行う。
【００１６】
表示部であるＬＣＤディスプレイ２０は、スケジュールデータを表示する。また、このＬＣＤディスプレイ２０は、スケジュール機能制御部１５の制御に応じて、操作状況など、その他一般的な表示を行う。スケジュール機能制御部１５は、グループスケジュールデータ記憶部１７に格納されたスケジュールデータをＬＣＤディスプレイ２０で表示する制御を行う。本実施の形態では、スケジュール機能制御部１５は、個人スケジュールデータ記憶部１６から個人スケジュールデータを読み込み、（グループの）スケジュールデータと個人スケジュールデータとを併せて、ＬＣＤディスプレイ２０に表示する制御を行うことができる。
【００１７】
本発明に係るスケジュール管理システムは、ネットワークからの遠隔操作により、情報管理サーバー２のグループスケジュールデータ記憶部５に記憶されたスケジュールデータを追加、編集、削除する手段を備える。この手段は、本実施の形態では、ＷＥＢブラウザを用いてＰＣ３から遠隔操作することにより、情報管理サーバー２のグループスケジュールデータ記憶部５に記憶されたスケジュールデータを追加、編集、削除することで実現される。以上のような構成からなるスケジュール管理システムの動作を次に説明する。
【００１８】
＜情報管理サーバーにおけるユーザ情報の登録＞
情報管理サーバー２は、個々の携帯電話を特定するため、携帯電話１で入力され登録されたユーザー情報を、登録する機能を有する。図４は、ユーザーが、携帯電話１のユーザー情報を情報管理サーバー２へ登録する様子を示した図である。まず、情報管理サーバー２に接続されたＰＣ３からＷＥＢブラウザを用いて、情報管理サーバー２のユーザー情報登録機能を起動し、非接触ＩＣリーダー／ライター装置８をユーザー情報登録モードに設定する。ユーザー情報登録モードに設定されると、非接触ＩＣリーダー／ライター装置８が、携帯電話１の非接触ＩＣ装置１９とアクセスし、通信できるようになる。ユーザーは携帯電話１のスケジューラ機能により、登録するユーザー情報を予め入力しておく。そして、ユーザーは、携帯電話１の非接触ＩＣ装置１９と情報管理サーバー２の非接触ＩＣリーダー／ライター装置８とをアクセスさせることで、携帯電話１の非接触ＩＣ装置１９のＩＤとユーザー情報を、非接触ＩＣリーダー／ライター装置８に読み取らせ、ユーザー情報を情報管理サーバー２のユーザーデータ記憶部４に登録させる。
【００１９】
図４の動作における携帯電話１、情報管理サーバー２の処理フローをそれぞれ図５、図１０に示す。携帯電話１は、キー入力装置１４で操作された手順に従って、スケジューラを起動し、ユーザー情報編集機能が選択されると、ユーザー情報編集画面をＬＣＤディスプレイ２０に表示する（ＳＴ−１）。そして、キー入力装置１４でユーザー情報の入力を受け付けると（ＳＴ−２）、非接触ＩＣ装置１９に登録されるユーザー情報を設定して（ＳＴ−３）終了する。
【００２０】
情報管理サーバー２は、図１０に示すように、ＷＥＢブラウザを用いたＰＣ３からの遠隔操作により、情報管理サーバー制御部１３を起動し（ＳＴ−１１）、ＰＣ３からの処理要求待ちとなる（ＳＴ−１２）。ここで、ＰＣ３からユーザー情報を登録する要求を受けると、非接触ＩＣリーダー／ライター制御部７を起動し（ＳＴ−１３）、非接触ＩＣリーダー／ライター装置８をユーザー情報登録モードに設定する（ＳＴ−１４）。そうすると、情報管理サーバー２は、非接触ＩＣ装置１９からの応答（非接触ＩＣ装置との通信）待ちとなる（ＳＴ−１５）。
【００２１】
この状態で、携帯電話１の非接触ＩＣ装置１９と、情報管理サーバー２の非接触ＩＣリーダー／ライター装置８の通信が成功すると（ＳＴ−１６）、情報管理サーバー２はグループスケジュールデータ制御部６を起動する（ＳＴ−１７）。そして、非接触ＩＣ装置１９のユーザー情報をユーザーデータ記憶部４に登録し（ＳＴ−１８）、その登録が終了すると、再びＳＴ−１２のＰＣ３からの処理要求待ちとなる。一方、ＳＴ−１６で通信が成功しなかった場合には、ＳＴ−１７、および、ＳＴ−１８の動作は行われずに、再びＳＴ−１２のＰＣ３からの処理要求待ちとなる。
【００２２】
＜情報管理サーバーにおけるスケジュールデータの追加・編集・削除＞
図６は、情報管理サーバー２のスケジュールデータを追加、編集、削除する様子を示した図である。ユーザーは、ＰＣ３からＷＥＢブラウザを用いて遠隔操作することにより、グループスケジュールデータ制御部６を起動する。
【００２３】
スケジュールデータの追加は、新しいスケジュールデータを登録することにより行う。具体的には、グループスケジュールデータ制御部６の制御により、ＰＣ３上のＷＥＢブラウザで新規に作成したスケジュールデータを、グループスケジュールデータ記憶部５に登録する。
【００２４】
スケジュールデータの編集は、既存のスケジュールデータを変更することにより行う。具体的には、グループスケジュール記憶部５に記憶した既存のスケジュールデータを、ＰＣ３上のＷＥＢブラウザに表示させる。そして、グループスケジュールデータ制御部６の制御により、ＰＣ３上のＷＥＢブラウザで編集したスケジュールデータをグループスケジュール記憶部５に、既存のスケジュールデータと置き換える。
【００２５】
スケジュールデータを削除は、既存のスケジュールデータを変更することにより行う。具体的には、グループスケジュール記憶部５に記憶した既存のスケジュールデータを、ＰＣ３上のＷＥＢブラウザに表示させる。そして、グループスケジュールデータ制御部６の制御により、不要な既存のスケジュールデータをグループスケジュール記憶部５から削除する。
【００２６】
この動作における情報管理サーバー２の処理フローを図１０に示す。情報管理サーバー２は、図１０に示すように、ＷＥＢブラウザを用いたＰＣ３からの遠隔操作により、情報管理サーバー制御部１３を起動し（ＳＴ−１１）、ＰＣ３からの処理要求待ちとなる（ＳＴ−１２）。
【００２７】
ＰＣ３からスケジュールデータを追加する要求を受けた場合には、グループスケジュールデータ制御部６を起動し（ＳＴ−１９）、新しいスケジュールデータをグループスケジュール記憶部５に登録する。（ＳＴ−２０）。その登録が終了すると、再びＳＴ−１２のＰＣ３からの処理要求待ちとなる。
【００２８】
ＰＣ３からスケジュールデータを編集、削除する要求を受けた場合には、グループスケジュールデータ制御部６を起動し（ＳＴ−２１）、グループスケジュールデータ記憶部５に記憶された既存のスケジュールデータを、ＰＣ３からの遠隔操作に応じて変更する（ＳＴ−２２）。その変更が終了すると、再びＳＴ−１２のＰＣ３からの処理要求待ちとなる。
【００２９】
＜携帯電話におけるグループスケジュールデータの取得＞
図７は、携帯電話１が、情報管理サーバー２からスケジュールデータを取得する様子を表した図である。携帯電話１の非接触ＩＣ装置１９が、情報管理サーバー２の非接触ＩＣリーダー／ライター装置８とアクセスしたとする。そのアクセス時に、情報管理サーバー２は、携帯電話１の非接触ＩＣ装置１９のＩＤがユーザーデータ記憶部４に登録されているＩＤと一致することを確認する。両者のＩＤが一致した場合には、グループスケジュールデータ記憶部５に記憶されたスケジュールデータの中から、対応のユーザー情報により特定されるグループのスケジュールデータを非接触ＩＣ装置１９に送信する。こうして、非接触ＩＣ装置１９は、アクセス時にグループスケジュールデータ記憶部５から自己が属するグループのスケジュールデータを受け取る。
【００３０】
図７の動作における携帯電話１と情報管理サーバー２の動作を図８のフローチャートに従い説明する。情報管理サーバー２は、電源起動後に、情報管理サーバー制御部１３を起動し（ＳＴ−３１）、その後に、非接触ＩＣリーダー／ライター制御部７を起動し（ＳＴ−３２）、グループスケジュールデータ制御部６を起動する（ＳＴ−３３）。そうすると、情報管理サーバー２は、非接触ＩＣ装置１９からの応答（非接触ＩＣ装置との通信）待ちとなる（ＳＴ−３４）。
【００３１】
この状態で、ユーザーが携帯電話１を情報管理サーバー２の非接触ＩＣリーダー／ライター装置８にかざし、携帯電話１の非接触ＩＣ装置１９と、情報管理サーバー２の非接触ＩＣリーダー／ライター装置８の通信が成功すると、情報管理サーバー２は、携帯電話１の非接触ＩＣ装置１９のＩＤがユーザーデータ記憶部４に登録されているＩＤと一致することを確認する（ＳＴ−３５）。一致した場合、つまり、ユーザーデータ記憶部４で登録済みであれば、グループスケジュールデータ記憶部５に、対応のユーザー情報により特定されるグループのスケジュールデータが記憶されているかを確認する（ＳＴ−３６）。グループスケジュールデータ記憶部５に、対応のユーザー情報により特定されるグループのスケジュールデータが記憶されている場合には、そのスケジュールデータを、非接触ＩＣリーダー／ライター装置８を経由して、非接触ＩＣ装置１９に送信して（ＳＴ−３７）終了する。一方、ＳＴ−３５でＩＤが一致しなかった場合、および、ＳＴ−３６で対応のユーザー情報により特定されるグループのスケジュールデータが記憶されていなかった場合には、ＳＴ−３７の動作は行われずに終了する。
【００３２】
このようにして、非接触ＩＣ装置１９は、アクセス時にグループスケジュールデータ記憶部５から自己が属するグループのスケジュールデータを受け取るが、これまでの手順において、携帯電話１側で、ユーザーが操作する必要はない。
【００３３】
＜携帯電話におけるスケジュールデータの移転・表示＞
非接触ＩＣ装置１９においてスケジュールデータを受け取った後に、ユーザーが、キー入力装置１４を操作して、携帯電話１のスケジュールアプリケーションを起動させたとする。この場合、携帯電話１のスケジュール機能制御部１５は、非接触ＩＣ装置制御部１８を介して、非接触ＩＣ装置１９が受け取ったスケジュールデータをグループスケジュールデータ記憶部１７に記憶する。そして、スケジュール機能制御部１５は、グループスケジュールデータ記憶部１７に記憶されている（グループ）スケジュールデータと、個人スケジュールデータ記憶部１６に記憶されている個人スケジュールデータとを併せて、ＬＣＤディスプレイ２０に表示する。
【００３４】
この動作における携帯電話１の動作を図９のフローチャートに従って説明する。ユーザーの操作によりメニューからスケジューラが選択されると、スケジュール機能制御部１５を起動して、スケジュール機能を起動する（ＳＴ−４１）。そして、スケジュール機能制御部１５は、非接触ＩＣ制御部１８を介して、非接触ＩＣ装置１９が受け取ったスケジュールデータを読込み（ＳＴ−４２）、そのスケジュールデータをグループスケジュールデータ記憶部１７に移転する（ＳＴ−４３）。その後、スケジュール機能制御部１５は、個人スケジュールデータ記憶部１６から個人スケジュールデータを読み込み、先に取得済みの（グループの）スケジュールデータと併せて、ＬＣＤディスプレイ２０に表示して（ＳＴ−４４）終了する。
【００３５】
以上の動作を行うスケジュール管理システムによれば、非接触ＩＣ装置１９と非接触ＩＣリーダー／ライター装置８とのアクセスによって、スケジュールデータを送信することができる。こうして、携帯電話通信網を使用せずにスケジュールデータを、例えば、グループのメンバーに送信したり、スケジュールデータの追加、編集、削除をすることができるため、携帯電話通信網の使用による課金の発生を防ぐことができる。また、従来のＵＳＢケーブル接続のような、送信に伴う手間を省くことができる。
【００３６】
また、携帯電話１は、非接触ＩＣ装置１９内のスケジュールデータをグループスケジュールデータ記憶部１７に移転し、その移転されたスケジュールデータをＬＣＤディスプレイ２０に表示することができる。このため、携帯電話１は、非接触ＩＣ装置１９の記憶容量に制限されず、グループスケジュールデータ記憶部１７の記憶容量の限りにおいて、スケジュールデータを記憶し、記憶されたスケジュールデータをＬＣＤディスプレイ２０に表示することができる。
【００３７】
また、情報管理サーバー２が、非接触ＩＣ装置１９が有するＩＤと、ユーザーデータ記憶部４に予め登録されたＩＤと一致した場合に、ユーザー情報により特定されるグループのスケジュールデータを非接触ＩＣ装置１９に送信することができる。こうして、グループに属さない他人は、グループのスケジュールデータを取得できなくなるため、保守性よくスケジュールデータを、グループのメンバーに送信することが可能となる。
【図面の簡単な説明】
【００３８】
【図１】実施の形態１に係るスケジュール管理システムを示す図である。
【図２】実施の形態１に係るスケジュール管理システムの情報管理サーバーを示すブロック図である。
【図３】実施の形態１に係るスケジュール管理システムの携帯電話を示すブロック図である。
【図４】実施の形態１に係るスケジュール管理システムの動作を示す図である。
【図５】実施の形態１に係るスケジュール管理システムの動作を示すフローチャートである。
【図６】実施の形態１に係るスケジュール管理システムの動作を示す図である。
【図７】実施の形態１に係るスケジュール管理システムの動作を示す図である。
【図８】実施の形態１に係るスケジュール管理システムの動作を示すフローチャートである。
【図９】実施の形態１に係るスケジュール管理システムの動作を示すフローチャートである。
【図１０】実施の形態１に係るスケジュール管理システムの動作を示すフローチャートである。
【符号の説明】
【００３９】
１  携帯電話、２  情報管理サーバー、３  ＰＣ、４  ユーザーデータ記憶部、５，１７  グループスケジュールデータ記憶部、６  グループスケジュールデータ制御部、７  非接触ＩＣリーダー／ライター制御部、８  非接触ＩＣリーダー／ライター装置、９  ＬＡＮコネクタ装置、１０  ＬＡＮコネクタ制御部、１１  ＴＣＰ／ＩＰ制御部、１２  ＨＴＴＰサーバー制御部、１３  情報管理サーバー制御部、１４  キー入力装置、１５  スケジュール機能制御部、１６  個人スケジュールデータ記憶部、１８  非接触ＩＣ装置制御部、１９  非接触ＩＣ装置、２０  ＬＣＤディスプレイ。
【図１】
2008004981.tif 000003
【図２】
2008004981.tif 000004
【図３】
2008004981.tif 000005
【図４】
2008004981.tif 000006
【図５】
2008004981.tif 000007
【図６】
2008004981.tif 000008
【図７】
2008004981.tif 000009
【図８】
2008004981.tif 000010
【図９】
2008004981.tif 000011
【図１０】
2008004981.tif 000012